(57)【要約】  ハンドルを有する本体と、コネクタと、クリーニングデバイスに取り外し可能に取り付けられた１つ又は複数のクリーニングヘッドと、を有するクリーニングデバイスで表面をクリーニングするための方法及び装置。各クリーニングヘッドは、クリーニングされる表面と接触するように配置された下面と、クリーニングヘッドに永久的に取り付けられた集塵チャンバと、を含む。クリーニングヘッドは、集塵チャンバ及びクリーニングシートを支持するための支持構造を含み得る。クリーニングヘッドはまた、吸引ノズルも含み得る。集塵チャンバの少なくとも一部はフィルタ材料から作ることができる。【選択図】図１
2020533028.tif 000002
【特許請求の範囲】
【請求項１】
クリーニングデバイスに取り外し可能に取り付け可能なクリーニングヘッドであって、上側及び下側と、吸引入口と、を有し、前記クリーニングヘッドの前記下側は、クリーニングされる表面に接触するように構成される、クリーニングヘッドと、
前記クリーニングヘッドに永久的に取り付けられ、かつ、前記吸引入口から塵を受け取るように構成された集塵チャンバと、を備え、
前記集塵チャンバは、前記集塵チャンバを損傷することなく、前記集塵チャンバ内の塵を処分するためにユーザが開けることはできない、装置。
【請求項２】
前記クリーニングヘッドは、前記クリーニングヘッドの前記下側にクリーニングシートを保持するように構成される、請求項１に記載の装置。
【請求項３】
前記クリーニングヘッドの前記下側に保持されたクリーニングシートをさらに備える、請求項２に記載の装置。
【請求項４】
前記クリーニングシートが前記クリーニングヘッドの前記下側に永久的に保持される、請求項３に記載の装置。
【請求項５】
前記集塵チャンバが前記クリーニングヘッドの前記上側に配置される、請求項１に記載の装置。
【請求項６】
前記集塵チャンバが前記クリーニングヘッドにヒートシールされる、請求項５に記載の装置。
【請求項７】
前記集塵チャンバが前記クリーニングヘッドの前記上側から突出する、請求項１に記載の装置。
【請求項８】
前記集塵チャンバが少なくとも部分的にエアフィルタによって形成される、請求項７に記載の装置。
【請求項９】
前記クリーニングヘッドが、ごみくずを前記吸引入口から前記集塵チャンバへ移送するように構成された気流導管をさらに備える、請求項１に記載の装置。
【請求項１０】
前記吸引入口が、前記クリーニングヘッドの前部で横方向に延在する吸引ノズルを備える、請求項１に記載の装置。
【請求項１１】
前記吸引ノズルが前記クリーニングヘッドと一体的に形成される、請求項１０に記載の装置。
【請求項１２】
前記クリーニングヘッドが、熱成形されたプラスチックによって少なくとも部分的に形成された支持構造を有する、請求項１に記載の装置。
【請求項１３】
クリーニングデバイスをさらに備え、前記クリーニングデバイスは真空源と、ハンドルを有する本体と、前記クリーニングヘッドを前記本体に取り付けるように構成されたコネクタと、を備える、請求項１に記載の装置。
【請求項１４】
前記コネクタが第１係合要素を含み、前記クリーニングヘッドが、前記クリーニングヘッドを前記クリーニングデバイスの前記本体に接続するために前記第１係合要素と係合するように構成された第２係合部材を含む、請求項１３に記載の装置。
【請求項１５】
噴霧ノズルと、液体を前記噴霧ノズルに供給するように構成された液体リザーバと、をさらに備える、請求項１３１に記載の装置。
【請求項１６】
クリーニングデバイスに取り外し可能に取り付け可能なヘッドであって、上側及びクリーニングされる表面に接触するように配置された下側と、吸引入口と、を有するヘッドと、
前記ヘッドに取り付けられ、かつ、前記吸引入口から塵を受け取るように構成された集塵チャンバであって、上壁と１つ又は複数の側壁とを有し、前記１つ又は複数の側壁の少なくとも一部はエアフィルタで形成される、集塵チャンバと、を備える装置。
【請求項１７】
前記集塵チャンバが前記ヘッドに永久的に取り付けられる、請求項１６に記載の装置。
【請求項１８】
前記集塵チャンバは、前記集塵チャンバを損傷することなく、前記集塵チャンバ内の塵を処分するためにユーザが開けることはできない、請求項１７に記載の装置。
【請求項１９】
前記集塵チャンバは、前記集塵チャンバを損傷することなく、前記集塵チャンバ内の塵を処分するためにユーザが開けることはできない、請求項１６に記載の装置。
【請求項２０】
前記ヘッドがクリーニングヘッドを備え、前記吸引入口が吸引ノズルを含む、請求項１６に記載の装置。
【請求項２１】
前記クリーニングヘッドがクリーニングシート用の支持体をさらに備える、請求項２０に記載の装置。
【請求項２２】
前記支持体に取り付けられたクリーニングシートをさらに備える、請求項２１に記載の装置。
【請求項２３】
前記クリーニングシートが前記支持体に永久的に取り付けられる、請求項２２に記載の装置。
【請求項２４】
クリーニングデバイスをさらに備え、前記クリーニングデバイスは、真空源と、ハンドルを有する本体と、前記クリーニングヘッドを前記本体に取り付けるように構成されたコネクタと、を備える、請求項２０に記載の装置。
【請求項２５】
前記コネクタが第１係合要素を含み、前記クリーニングヘッドが、前記クリーニングヘッドを前記クリーニングデバイスの前記本体に接続するために前記第１係合要素と係合するように構成された第２係合要素を含む、請求項２４に記載の装置。
【請求項２６】
噴霧ノズルと、液体を前記噴霧ノズルに供給するように構成された液体リザーバと、をさらに備える、請求項２４に記載の装置。
【請求項２７】
前記コネクタが前記クリーニングデバイスに回動可能に取り付けられる、請求項２４に記載の装置。
【請求項２８】
真空源と、ハンドルを有する本体と、クリーニングヘッドと、を備えるクリーニングデバイスをさらに備え、
前記ヘッドが前記クリーニングヘッドに取り外し可能に取り付け可能である、請求項１６に記載の装置。
【請求項２９】
前記上面が、前記ヘッドをクリーニングデバイスに取り付けるために係合要素を受け入れるように構成された１つ又は複数の凹部を含む、請求項１６に記載の装置。
【請求項３０】
ハンドルを有する本体と、
真空源と、
クリーニングヘッドを前記本体に取り付けるように配置されたコネクタと、
前記コネクタに取り外し可能に取り付け可能な集塵チャンバ支持体であって、床と接触するように配置された下側、及び上面を有する集塵チャンバ支持体と、
前記集塵チャンバ支持体の前記上面から上方に突出する集塵チャンバであって、少なくとも部分的にエアフィルタ材料によって形成された集塵チャンバと、を備え、
前記真空源が前記エアフィルタ材料を通して空気を引くことができるように、前記集塵チャンバ支持体が前記コネクタに取り付けられているとき、前記コネクタは前記エアフィルタ材料を覆う、クリーニングデバイス。
【請求項３１】
前記集塵チャンバは、前記集塵チャンバを損傷することなく、前記集塵チャンバ内の塵を処分するためにユーザが開けることはできない、請求項３０に記載の装置。
【請求項３２】
前記クリーニングヘッドの前記下側に保持されたクリーニングシートをさらに備える、請求項３０に記載の装置。
【請求項３３】
前記クリーニングシートが前記クリーニングヘッドの前記下側に永久的に保持される、請求項３２に記載の装置。
【請求項３４】
前記クリーニングヘッドが吸引入口をさらに備える、請求項３０に記載の装置。
【請求項３５】
前記吸引入口が、前記クリーニングヘッドの前部で横方向に延在する吸引ノズルを備える、請求項３４に記載の装置。
【請求項３６】
クリーニングデバイスを使用する方法であって、前記クリーニングデバイスは、真空源と、ハンドルを含む本体と、クリーニングヘッドを前記デバイスに取り外し可能に接続するためのコネクタと、を含み、前記方法は、
第１吸引ノズルと第１集塵チャンバとを含む第１クリーニングヘッドを前記コネクタに取り付けることと、
塵を前記第１吸引ノズルを通して前記第１集塵チャンバに移動するように前記デバイスを操作することと、
前記第１クリーニングヘッドを前記コネクタから取り外すことと、
前記第１クリーニングヘッドを処分することと、
第２吸引ノズルと第２集塵チャンバとを含む第２クリーニングヘッドを前記コネクタに取り付けることと、を含む方法。
【請求項３７】
前記集塵チャンバが前記クリーニングヘッドに永久的に取り付けられる、請求項３６に記載の方法。
【請求項３８】
前記クリーニングヘッドがクリーニングシート用の支持体を含む、請求項３６に記載の方法。
【請求項３９】
取り外すことの前に、
クリーニング液を表面に適用することと、
前記第１クリーニングヘッドを前記表面を横切って移動することであって、クリーニングシートが前記クリーニングヘッドの下面に取り付けられている、移動することと、をさらに含む、請求項３６に記載の方法。
【請求項４０】
クリーニングデバイスを使用する方法であって、前記クリーニングデバイスは、本体と、ハンドルと、真空源と、前記本体に取り付けられたヘッドと、を含み、前記方法は、
吸引ノズルが第１集塵チャンバに流体的に接続されるように、前記第１集塵チャンバが取り付けられた第１集塵チャンバ支持体を前記ヘッドの下側に取り付けることと、
塵を表面から前記第１集塵チャンバへ吸い込むように前記デバイスを操作することと、
前記第１集塵チャンバ支持体及び取り付けられた第１集塵チャンバを前記ヘッドから取り外すことと、
前記第１集塵チャンバ支持体及び取り付けられた第１集塵チャンバを処分することと、
吸引ノズルが第２集塵チャンバに流体的に接続されるように、前記第２集塵チャンバが取り付けられた第２集塵チャンバ支持体を前記ヘッドの前記下側に取り付けることと、を含む方法。
【請求項４１】
前記集塵チャンバが前記クリーニングヘッドに永久的に取り付けられる、請求項４０に記載の方法。
【請求項４２】
前記クリーニングヘッドがクリーニングシート用の支持体を含む、請求項４０に記載の方法。
【請求項４３】
取り外す前に、
クリーニング液を前記表面に適用することと、
前記第１クリーニングヘッドを前記表面を横切って移動することであって、クリーニングシートが前記クリーニングヘッドの下面に取り付けられている、移動することと、をさらに含む、請求項４０に記載の方法。
【請求項４４】
クリーニングデバイスに取り外し可能に取り付け可能なクリーニングヘッドであって、上側及びクリーニングされる表面に接触するように配置された下側を有するクリーニングヘッドと、
前記クリーニングヘッドに永久的に取り付けられ、かつ、吸引入口から空気入口開口部を介して塵を受け取るように配置された集塵チャンバと、を備え、
前記集塵チャンバには前記空気入口開口部以外の開口部がない、装置。
【請求項４５】
前記クリーニングヘッドが前記クリーニングヘッドの前記下側にクリーニングシートを保持するように構成される、請求項４４に記載の装置。
【請求項４６】
前記クリーニングヘッドの前記下側に保持されたクリーニングシートをさらに備える、請求項４５に記載の装置。
【請求項４７】
前記クリーニングシートが前記クリーニングヘッドの前記下側に永久的に保持される、請求項４６に記載の装置。
【請求項４８】
前記集塵チャンバが前記クリーニングヘッドの前記上側に配置される、請求項４４に記載の装置。
【請求項４９】
前記集塵チャンバが前記クリーニングヘッドにヒートシールされる、請求項４８に記載の装置。
【請求項５０】
前記集塵チャンバが前記クリーニングヘッドの前記上側から突出する、請求項４４に記載の装置。
【請求項５１】
前記集塵チャンバが少なくとも部分的にエアフィルタによって形成される、請求項５０に記載の装置。
【請求項５２】
前記吸引入口が、前記クリーニングヘッドの前部で横方向に延在する吸引ノズルを備える、請求項４４に記載の装置。
【請求項５３】
前記吸引ノズルが前記クリーニングヘッドと一体的に形成される、請求項５２に記載の装置。
【請求項５４】
前記クリーニングヘッドが、熱成形されたプラスチックによって少なくとも部分的に形成された支持構造を有する、請求項４４に記載の装置。
【請求項５５】
クリーニングデバイスをさらに備え、前記クリーニングデバイスは真空源と、ハンドルを有する本体と、前記クリーニングヘッドを前記本体に取り付けるように構成されたコネクタと、を備える、請求項４４に記載の装置。
【請求項５６】
前記コネクタが第１係合要素を含み、前記クリーニングヘッドが、前記クリーニングヘッドを前記クリーニングデバイスの前記本体に接続するために前記第１係合要素と係合するように構成された第２係合部材を含む、請求項５５に記載の装置。
【請求項５７】
噴霧ノズルと、液体を前記噴霧ノズルに供給するように構成された液体リザーバとをさらに備える、請求項５５に記載の装置。
【請求項５８】
クリーニングデバイスハンドル端部、及び前記ハンドル端部に対して回動可能な床接触端部と、
吸引源と、
前記床接触端部に配置された導管吸引入口と、
使い捨て集塵チャンバであって、前記床接触端部に取り付け可能取り付けられ、且つ前記クリーニングデバイスの近位端において前記導管吸引入口で吸引導管から塵を受け取るように配置された空気入口開口部を有し、クリーニングされる表面に接触するように構成された使い捨て集塵チャンバと、を備え、
前記集塵チャンバは塵を前記導管吸引入口から前記空気入口開口部を介して受け入れ、
前記集塵チャンバには前記空気入口開口部以外の開口部がない、クリーニング装置。
【発明の詳細な説明】
【技術分野】
【０００１】
本出願は、米国特許法第１１９条（ｅ）項の下、「HARDFLOOR CLEANER WITH A DISPOSABLE, MULTI-FUNCTION CLEANING HEAD」と題され２０１７年９月１１日に出願された米国仮特許出願第６２／５５６，８８３号、「HARDFLOOR CLEANER WITH A DISPOSABLE, MULTI-FUNCTION CLEANING HEAD」と題され２０１８年９月２８日に提出された米国仮特許出願第６２／５６４，４２７号、及び「HARDFLOOR CLEANER WITH A DISPOSABLE, MULTI-FUNCTION CLEANING HEAD」と題され２０１７年１０月２７日に提出された米国仮特許出願第６２／５７７，８７８号に付与された優先権を主張する。上に挙げた文書のそれぞれの全体は、参照により本明細書に組み込まれる。
【０００２】
本明細書で開示される実施形態は、概してクリーニングデバイスに関し、より具体的には真空掃除機に関する。
【背景技術】
【０００３】
クリーニングデバイスは、床やその他の表面をクリーニングするために家庭や事務所で使用される。真空クリーナ、及びデバイスのクリーニングヘッドに取り外し可能に取り付けられたクリーニングパッドを使用するクリーニングデバイスなど、さまざまな種類のクリーニングデバイスが知られている。
【発明の概要】
【０００４】
一実施形態によれば、装置は、クリーニングデバイスに取り外し可能に取り付け可能なクリーニングヘッドであって、上側及び下側と、吸引入口と、を有し、クリーニングヘッドの下側は、クリーニングされる表面に接触するように構成されたクリーニングヘッドと、クリーニングヘッドに永久的に取り付けられ且つ吸引入口から塵を受け取るように構成された集塵チャンバと、を有する。集塵チャンバは、集塵チャンバを損傷することなく、集塵チャンバ内の塵を処分するためにユーザが開けることはできない。
【０００５】
別の実施形態によれば、装置は、クリーニングデバイスに取り外し可能に取り付け可能なヘッドであって、上側及びクリーニングされる表面に接触するように配置された下側と、吸引入口と、を有するヘッドと、ヘッドに取り付けられ且つ吸引入口から塵を受け取るように配置された集塵チャンバであって、上壁と１つ又は複数の側壁とを有し、１つ又は複数の側壁の少なくとも一部がエアフィルタで形成される、集塵チャンバとを備える。
【０００６】
さらに別の実施形態によれば、クリーニングデバイスは、ハンドルを有する本体と、真空源と、クリーニングヘッドを本体に取り付けるように配置されたコネクタと、コネクタに取り外し可能に取り付け可能な集塵チャンバ支持体であって、床と接触するように配置された下側、及び上面を有する集塵チャンバ支持体と、集塵チャンバ支持体の上面から上方に突出する集塵チャンバであって、少なくとも部分的にエアフィルタ材料によって形成された集塵チャンバと、を含む。真空源がエアフィルタ材料を通して空気を引くことができるように、集塵チャンバ支持体がコネクタに取り付けられているとき、コネクタはエアフィルタ材料を覆う。
【０００７】
さらに別の実施形態によれば、クリーニングデバイスを使用する方法が開示される。デバイスは、真空源と、ハンドルを含む本体と、クリーニングヘッドをデバイスに取り外し可能に接続するためのコネクタと、を含む。方法は、第１吸引ノズルと第１集塵チャンバとを含む第１クリーニングヘッドをコネクタに取り付けること、塵を第１吸引ノズルを通して第１集塵チャンバに移動するようにデバイスを操作すること、第１クリーニングヘッドをコネクタから取り外すこと、第１クリーニングヘッドを処分すること、及び第２吸引ノズルと第２集塵チャンバとを含む第２クリーニングヘッドをコネクタに取り付けることを含む。
【０００８】
別の実施形態によれば、クリーニングデバイスを使用する方法が開示される。クリーニングデバイスは、本体と、ハンドルと、真空源と、本体に取り付けられたヘッドと、を含む。方法は、吸引ノズルが第１集塵チャンバに流体的に接続されるように、第１集塵チャンバが取り付けられた第１集塵チャンバ支持体をヘッドの下側に取り付けること、塵を表面から第１集塵チャンバへ吸い込むようにデバイスを操作すること、第１集塵チャンバ支持体及び取り付けられた第１集塵チャンバをヘッドから取り外すこと、第１集塵チャンバ支持体及び取り付けられた第１集塵チャンバを処分すること、及び吸引ノズルが第２集塵チャンバに流体的に接続されるように、第２集塵チャンバが取り付けられた第２集塵チャンバ支持体をヘッドの下側に取り付けることを含む。
【０００９】
別の実施形態によれば、装置は、クリーニングデバイスに取り外し可能に取り付け可能なクリーニングヘッドであって、上側及びクリーニングされる表面に接触するように配置された下側を有するクリーニングヘッドと、クリーニングヘッドに永久的に取り付けられ且つ吸引入口から空気入口開口部を介して塵を受け取るように配置された集塵チャンバと、を有する。集塵チャンバには空気入口開口部以外の開口部はない。
【００１０】
別の実施形態によれば、クリーニング装置は、ハンドル端部と、ハンドル端部に対して回動可能な床接触端部と、を含む。装置はまた、吸引源と、床接触端部に配置された吸引入口と、を含む。使い捨て集塵チャンバは、床接触端部に取り付けられ、集塵チャンバは、吸引入口で吸引導管から塵を受け取るように配置された空気入口開口部を有する。集塵チャンバには空気入口開口部以外の開口部はない。
【００１１】
本開示はこの点に限定されないため、前述の概念、及び以下で考察する追加の概念は、任意の適切な組み合わせで構成できることを理解されたい。
【００１２】
本教示の前述及び他の態様、実施形態、及び特徴は、添付の図面と併せて以下の記載から、より完全に理解することができる。
【００１３】
添付図面は一定の縮尺比で描かれるように意図されていない。図面中、様々な図に示される同一又はほぼ同一の各構成要素は、同様の数字で表されている。わかりやすくするために、すべての構成要素がすべての図面でラベル付けされているわけではない。
【図面の簡単な説明】
【００１４】
【図１】本開示の実施形態によるクリーニングデバイスの斜視図である。
【図２】いくつかの実施形態によるクリーニングヘッドの上面斜視図である。
【図３】図２のクリーニングヘッドの側面図である。
【図４】図３のクリーニングヘッドの断面側面図である。
【図５】図２のクリーニングヘッドの底面図である。
【図６】図２のクリーニングヘッドの拡大底面斜視図である。
【図７】別の実施形態によるクリーニングヘッドである。
【図８】図７のクリーニングヘッドの側面斜視図である。
【図９】別の実施形態によるクリーニングヘッドである。
【図１０】図９のクリーニングヘッドに取り付けられているクリーニングシートを示す。
【図１１】図９及び１０のクリーニングヘッドの断面側面図である。
【図１２】別の実施形態によるクリーニングヘッドの分解図である。
【図１３】他の実施形態によるクリーニングヘッドの断面側面図である。
【図１４】いくつかの実施形態による、クリーニング器具と、クリーニング器具に取り外し可能に取り付け可能なクリーニングヘッドとを示す。
【図１５】他の実施形態によるクリーニング器具の断面側面図である。
【図１６】図１５に示すクリーニング器具の気流導管の拡大図である。
【図１７】別の実施形態によるクリーニングヘッドの概略断面側面図である。
【図１８】別の実施形態によるクリーニング器具のコネクタの正面斜視図である。
【図１９】図１８に示すコネクタの側面斜視図である。
【図２０】いくつかの実施形態によるコネクタに取り付けられたクリーニングヘッドの断面側面図である。
【図２１】一実施形態による、クリーニングヘッドをコネクタに接続するための係合部材を示す。
【図２２】一実施形態によるクリーニングヘッドの上部を示す。
【図２３】本明細書に開示される実施形態によるクリーニングデバイスを使用する１つの方法に従って床に配置されるクリーニングヘッドを示す。
【図２４】一実施形態による、クリーニングデバイスに接続されているクリーニングヘッドを示す。
【図２５】床に液体を噴霧するクリーニングデバイスを示す。
【図２６】処分されているクリーニングヘッドを示す。
【図２７】積み重ねられたクリーニングヘッドを示す。
【図２８】クリーニングデバイスのコネクタを示す。
【発明を実施するための形態】
【００１５】
硬い床又はカーペット敷きの表面などの表面のクリーニングは、さまざまな種類のごみくず、又は濡れた、乾燥した、又は混合した媒体のこぼれなどのこぼれがある場合、困難な場合がある。クリーニングデバイスは、多くの場合、濡れた又は乾燥したごみくずのクリーニングに適しているが、両方のクリーニングには適していない。そのため、ユーザは通常、それらの床をクリーニングするために複数のクリーニングデバイスを使用する必要がある。例えば、ユーザは乾燥したごみくずを取り除くためにほうき及び／又は真空クリーナを使用し、次に濡れたこぼれをきれいにするため及び／又はしみを除去するためにモップを使用する。場合によっては、同じ種類のごみくずであっても、ユーザは複数のクリーニングデバイスを使用する必要がある。例えば、真空掃除機は大きな粒子を上手くピックアップするかもしれないが、より小さな埃の粒子を捕捉しないかもしれない。複数のクリーニングデバイスを使用すると時間がかかる場合がある。例えば、ユーザは複数のクリーニングデバイスを使用する必要がある場合があるだけでなく、床を完全にクリーニングするために同じクリーニングデバイスを複数回使用する必要がある場合がある。例えば、ユーザは、モップがけの前に床を掃き及び／又は掃除機で吸い、次いでモップがけ後に再び、モップがけ前に表面から取り除かれなかったごみくずをピックアップする及び／又はモップがけの間に形成された塵又はごみくずをピックアップするなどする必要があるかもしれない。
【００１６】
複数のクリーニングデバイスを使用することは面倒であり及び／又は長いセットアップ時間若しくは使用後のメンテナンスを必要とする可能性がある。例えば、場合によっては、ユーザは真空掃除機の代わりにほうきを使用することを好むかもしれない。真空クリーナをセットアップする時間と比較してほうきの準備が整っているためである。ほうきを使用して、ユーザは塵の粒子を掃き、処分する。真空掃除機は、ユーザが真空掃除機内から袋を取り除くか、塵カップを繰り返し空にすることを必要とする。一部のクリーニングデバイスは、湿った媒体と乾いた媒体の両方に対処することを試みたが、これらのデバイスの一部は、床をクリーニングするためにほうきを、次いでモップを使用するよりもセットアップ時間が長くなる可能性がある。さらに、特にクリーニング液が関係する場合、このようなデバイスの使用後のメンテナンスは高度になる可能性がある。例えば、一部の組み合わせツールは、各使用後に適切にクリーニングしないと、不衛生になったり臭いを発したりする可能性がある。
【００１７】
本発明者らは、湿った及び／又は乾燥したごみくずを収集し、クリーニングデバイスに取り外し可能に取り付け可能なクリーニングヘッドを有することにより有利性が実現され得ることを認識した。集塵チャンバを、取り外し可能なクリーニングヘッドに取り付けて、真空クリーナによって吸い込まれる塵を収集することができる。クリーニングヘッドは、収集された塵を処分するために集塵チャンバを開く代わりに集塵チャンバがクリーニングヘッドとともに処分されるように、構成することができる。
【００１８】
本明細書の目的のために、集塵チャンバに吸い込まれる塵は、乾燥した及び／又は湿った媒体を含み得る。例えば、いくつかの実施形態では、表面に適用された液体が、クリーニングシートによって吸収され、また、真空掃除機によって集塵チャンバに吸い込まれてもよい。いくつかの実施形態では、湿った媒体は、集塵チャンバを形成するために使用される材料の少なくとも一部によって吸収されてもよい。いくつかの実施形態では、集塵チャンバは、材料への流体吸収を許容するが、材料を通り抜ける流体移動を許容しない材料で形成されてもよい。そのような実施形態では、流体は集塵チャンバを通って移動できない。例えば、集塵チャンバを形成するために使用される材料は、集塵チャンバの内側で吸収性であるが、不浸透性であり得る。
【００１９】
いくつかの実施形態では、集塵チャンバは、クリーニングヘッドに永久的に取り付けられてもよい。いくつかの実施形態では、取り外し部材を必要とせずに、集塵チャンバは、集塵チャンバ壁のかなりの表面積にわたって空気ろ過を提供するように配置することができる。
【００２０】
また、ユーザがクリーニングデバイスの操作後に濡れた又は汚れたクリーニングヘッドを取り扱う必要がない場合、有利性が実現され得る。例えば、クリーニングデバイスは、ユーザがクリーニングヘッドを廃棄するためにそれを掴む必要がないように、クリーニングデバイスの使用後にクリーニングヘッドをリリースするように構成されてもよい。永久的に取り付けられた集塵チャンバと、ユーザがクリーニングヘッドに触れる必要のないリリース構成とにより、クリーニングヘッドは、ユーザが限定的に接触することにより、又はまったく接触しないで処分することができる。
【００２１】
いくつかの実施形態では、クリーニングヘッドは、集塵チャンバが取り付けられる支持構造を含む。そのような実施形態では、ユーザは単にクリーニングヘッドをクリーニングデバイスに取り付け、塵を表面から集塵チャンバに移動するようにクリーニングデバイスを操作し、クリーニングヘッドを取り外し、クリーニングヘッドをごみ容器に処分することができる。このようなプロセスは、ユーザが表面をクリーニングするたびに繰り返され得る。
【００２２】
いくつかの実施形態では、クリーニングデバイスは、クリーニングを支援するためにクリーニングシート及び／又は液体噴霧アセンブリを含み得る。そのような実施形態では、クリーニングヘッドは、表面に接触し且つ湿った及び／又は乾燥したごみくずを収容するクリーニングデバイスの唯一の部分であり得るため、クリーニングデバイスの残りの部分は、クリーニングデバイスの操作中及び操作後も清潔なままであり得る。
【００２３】
理解されるように、クリーニングヘッドの下側は、クリーニングされる表面に直接接触し得る。他の実施形態では、下側は、クリーニングされる表面に間接的に接触し得る。例えば、クリーニングヘッドの下側は、表面上のクリーニングヘッドの移動を促進するために１つ又は複数の車輪を有し得る。表面に間接的に接触するクリーニングヘッドの下側の別の例として、クリーニングヘッドは、クリーニングデバイスの操作中に表面をクリーニングするために表面に接触するクリーニングシートを含み得る。いくつかの実施形態では、クリーニングヘッドは、クリーニングシートをクリーニングヘッド上に保持するように構成された支持体を含む。そのような実施形態では、クリーニングシートは、クリーニングヘッドに永久的又は取り外し可能に取り付けることができる。
【００２４】
いくつかの実施形態では、クリーニングヘッドは、表面から集塵チャンバ内にごみくずを移動させるための吸引入口を含む。いくつかの実施形態では、吸引入口は、いくつかの実施形態ではクリーニングヘッドの前部を横切って横方向に延びる吸引ノズルを含む。いくつかの実施形態では、吸引ノズルはクリーニングヘッドに永久的に取り付けられてもよい。例えば、吸引ノズルは、クリーニングヘッドの支持構造と一体に形成されてもよい。他の実施形態では、吸引ノズルは、クリーニングヘッドに取り外し可能に取り付けられてもよい。いくつかの実施形態では、吸引ノズルは、クリーニングヘッドの真空源に流体的に接続される。
【００２５】
いくつかの実施形態では、集塵チャンバは、クリーニングヘッドの上側に配置される。いくつかの実施形態では、集塵チャンバは、クリーニングヘッドの上側から突出している。
【００２６】
いくつかの実施形態では、クリーニングデバイスは、ハンドルを有する本体と、真空掃除機と、源と、クリーニングヘッドをクリーニング本体に接続するためのコネクタと、を含む。いくつかの実施形態では、コネクタは第１係合要素を含み、クリーニングヘッドは第１係合要素と係合してクリーニングヘッドをクリーニングデバイスの本体に接続するように構成された第２係合要素を含む。そのような実施形態では、第１及び第２係合要素が互いに係合すると、クリーニングヘッドはコネクタに保持される。
【００２７】
いくつかの実施形態では、クリーニングヘッドがクリーニングデバイスに取り付けられると、集塵チャンバの少なくとも一部がクリーニングデバイスによって覆われ得る。例えば、いくつかの実施形態では、集塵チャンバは、クリーニングヘッドをクリーニングデバイスに接続するために使用されるコネクタによって覆われてもよい。いくつかの実施形態では、集塵チャンバは、少なくとも部分的にエアフィルタによって形成されてもよい。そのような実施形態では、クリーニングヘッドがクリーニングデバイスに取り付けられるとエアフィルタ部分はコネクタによって覆われ、吸引力がエアフィルタに加えられる。
【００２８】
いくつかの実施形態では、本体は、噴霧ノズルと、液体を噴霧ノズルに供給する液体リザーバとを含む。理解されるように、液体リザーバは取り外し可能であってもよく、又はクリーニングデバイスに永久的に取り付けられてもよい。
【００２９】
いくつかの実施形態では、クリーニングヘッドは使い捨て可能であるように構成される。例えば、クリーニングヘッドは、熱成形プラスチック又は厚紙パルプで作られた支持体を含み得る。いくつかの実施形態では、クリーニングヘッドは積み重ね可能である。いくつかの実施形態では、集塵チャンバは折り畳み可能に構成される。例えば、集塵容器は袋を含み得る。
【００３０】
図１は、本開示の実施形態によるクリーニングデバイス１００を示している。この図に示すように、クリーニングデバイス１００は、ハンドル１０４を備えた本体１０２と、コネクタ１０６と、コネクタなどを介して本体に取り外し可能に取り付け可能なクリーニングヘッド１０８と、を含み得る。いくつかの実施形態では、ハンドルは、ユーザがクリーニングデバイスの高さを調整できるように調整可能な長さを有し得る。例えば、ハンドルはハンドルの長さを伸縮するために伸縮式であり得る。
【００３１】
図２〜図４に示されるように、クリーニングヘッド１０８は、表面から取り除かれたごみくずを収集するための集塵チャンバ１１２を含み得る。理解されるように、集塵チャンバは、塵カップ、塵びん、或いは埃又は湿った及び／若しくは乾燥した媒体などの塵を収集するための任意の他の適切な容器であり得る。いくつかの実施形態では、クリーニングヘッドは支持構造１１０を有し得る。そのような実施形態では、集塵チャンバ１１２は支持構造に永久的に取り付けられてもよい。例えば、集塵チャンバ１１２は、支持構造に接着、ヒートシール、又は他の方法で永久的に固定されてもよい。いくつかの実施形態では、図４に示すように、支持構造は実質的に平面の支持フレームであるが、支持構造は他の適切な構成を有し得る。支持構造は、図示の実施形態では、クリーニングされる表面に接触するように配置されている。いくつかの実施形態では、支持フレームは、クリーニングされる表面に直接接触し得るが、他の実施形態では、支持フレームは、クリーニングされる表面に間接的に接触し得る（例えば、１つ又は複数の車輪、クリーニングシート、又はバッキングパッドを有するクリーニングシートを介して）。
【００３２】
いくつかの実施形態では、集塵チャンバ１１２は、支持構造１１０から上方に突出する。本明細書の目的のために、「上方に突出する」という用語は、集塵チャンバが、クリーニングされる表面から離れる方向に支持構造から突出することを意味する。一部の実施形態では、支持フレームは、支持フレームの剛性を高めるために１つ又は複数の溝１１５を含む。
【００３３】
理解されるように、支持構造と集塵チャンバは同じ形状及びサイズである必要はない。例えば、いくつかの実施形態では、支持構造は集塵チャンバより大きくてもよい。いくつかの実施形態では、支持構造は実質的に長方形の形状（上面図）を有し得る一方、集塵チャンバは全体的に楕円形、レーストラック、又は湾曲した形状（上面図）を有する。
【００３４】
いくつかの実施形態では、図２〜図６に示されるように、クリーニングヘッドは、クリーニングシート１１４を含み得る。クリーニングシートは、クリーニングヘッドの下面に取り付けることができる。支持構造の下面は、集塵チャンバが支持構造に取り付けられる表面の反対側に配置することができる。いくつかの実施形態では、クリーニングシートは支持構造よりも大きくてもよいが、他の実施形態では支持構造と同じサイズ又はそれより小さくてもよい。支持構造及びクリーニングシートは同じ形状であり得る、又は異なる形状を有し得る。
【００３５】
いくつかの実施形態では、クリーニングシートは、支持構造に永久的に取り付けられるなど、クリーニングヘッドに永久的に取り付けられてもよい。例えば、クリーニングシートは、支持構造に接着、ヒートシール、又はその他の方法で固定的に取り付けられてもよい。いくつかの実施形態では、図１２に示すように、クリーニングシート３１４は、クリーニングヘッド３０８の支持構造を形成し得る。そのような実施形態では、集塵チャンバ３１２は、クリーニングシート３１４の上面に直接取り付けることができる。
【００３６】
いくつかの実施形態では、クリーニングシートは、クリーニングヘッドに取り外し可能に取り付けられてもよい。例えば、支持構造は、クリーニングシート上のフックアンドループファスナと係合する１つ又は複数のフックアンドループファスナを有し得る。別の実施形態では、図９及び図１０に示されるように、クリーニングシート２１４は、支持構造２１０がスライド可能に挿入されるポケットを含み得る。理解されるように、このような実施形態では、クリーニングシートは、クリーニングヘッドをクリーニングデバイスに取り付ける前に、支持構造及び／又は集塵ビンになどクリーニングヘッドに取り付け可能であり得る。クリーニングシートはまた、クリーニングヘッドがクリーニングデバイスに取り付けられた後、クリーニングヘッドに取り付け可能であり得る。
【００３７】
いくつかの実施形態では、図３及び図４に示すように、クリーニングヘッドは、集塵チャンバ１１２へごみくずを移送するように構成された気流導管１１６を含み得る。理解されるように、気流導管は、管、経路、通路、又は単に集塵チャンバへの開口部を含み得る。いくつかの実施形態では、集塵チャンバのそのような開口部は常に開いている。他の実施形態では、そのような開口部は選択的に開閉可能であり得る。例えば、記載されるように、クリーニングヘッドは、ごみくずが集塵チャンバへ入るのを許容するために選択的に開放可能であり、ごみくずが集塵チャンバから逃げるのを防ぐために選択的に閉鎖可能なバルブを含み得る。
【００３８】
いくつかの実施形態では、クリーニングヘッドは、気流導管を介してなど、表面から集塵チャンバにごみくずを移送するように配置された吸引入口を含む。いくつかの実施形態では、吸引入口は吸引ノズル１１８を含む。いくつかの実施形態では、図２に示されるように、例えば、吸引ノズルは、クリーニングヘッドの前部に沿って横方向に延在し得る。吸引ノズルは、任意の適切な形状及びサイズを有し得る。いくつかの実施形態では、吸引ノズルは、クリーニングヘッドの幅全体に沿って延在し得る。
【００３９】
いくつかの実施形態では、吸引ノズル１１８は、支持構造１１２に取り付けることができる。例えば、吸引ノズルは、支持構造に接着、ヒートシール、又は他の方法で永久的に取り付けることができる。図２、図９及び図１０に示されるものなど、いくつかの実施形態では、吸引ノズルは、支持構造と一体的に形成されることにより取り付けることができる。図１２に示すように、いくつかの実施形態では、ノズル３１８はクリーニングシート３１４に取り付けることができる。吸引ノズルは、支持構造に、又はクリーニングヘッドの別の適切な部分に取り外し可能に取り付けることもできる。
【００４０】
図３及び図４に示されるものなど、いくつかの実施形態では、クリーニングシートは、吸引ノズルが表面に接触しないように、支持構造をクリーニングされる表面から持ち上げるように配置されてもよい。いくつかの実施形態では、ノズルは表面から５ｍｍ〜８ｍｍの間に配置されてもよい。いくつかの実施形態では、ノズルは表面から５．５±０．５ｍｍに配置されてもよい。図５及び図６に示されるように、クリーニングシートは、クリーニングシートがごみくずに到達する前にごみくずがノズルに吸引され得るように、吸引ノズルの後ろに配置されてもよい。
【００４１】
いくつかの実施形態では、図１３に示すように、クリーニングヘッドは、クリーニングヘッドとクリーニングされる表面との間にシールを形成するように配置されたシール表面３４０を含み得る。いくつかの実施形態では、シール表面３４０は、クリーニングヘッド（支持構造など）に取り付けられたリサイクル厚紙パルプ材料を含み得る。シールはまた、ゴム製ワイパーブレードから形成されてもよい。
【００４２】
いくつかの実施形態において、吸引ノズルは、ピックアップを促進するために高い空気速度を依然として維持しながら大小両方の粒子を集塵チャンバに吸引することを可能にするように寸法決めすることができる。大きな粒子は、より大きな中央開口部で吸引ノズルの中心を通って収集され得る一方、小さな粒子は吸引ノズル全体に沿って収集され得る。
【００４３】
いくつかの実施形態では、集塵チャンバは、塵が集塵チャンバ内に移動されると、集塵チャンバ内に塵を維持するように構成されてもよい。いくつかの実施形態では、集塵チャンバは、塵がチャンバ内に移動されると、埃、乾燥した媒体、及び／又は湿った媒体を集塵チャンバ内に保持するリップ及び内部バルブを含み、それにより、真空掃除機がオフになっているときなど、埃及び乾燥した媒体が吸引入口を介して出ることを防止する。いくつかの実施形態では、図４及び図６に示されるように、集塵チャンバは、気流導管に又はその近くに選択的に開閉可能なバルブ１１９を含み得る。いくつかの実施形態では、バルブは、真空掃除機がオンにされたときの開位置Ｏ（図１７参照）と、クリーニングデバイスがオフにされた時の閉位置Ｃ（図１７参照）との間で旋回可能な１つ又は複数のフラップ１２０ａ、１２０ｂを含み得る。
【００４４】
理解されるように、いくつかの実施形態では、バルブは、クリーニングヘッドの少なくとも一部と一体的に形成されてもよい。例えば、バルブは支持構造と一体に形成されてもよい。バルブはまた、別個に形成され、クリーニングヘッドに取り付けられてもよい。例えば、それらのバルブは、集塵チャンバに固定式に取り付けられてもよい。
【００４５】
図１４を参照すると、いくつかの実施形態では、コネクタ１０６は、クリーニングデバイスの本体１０２に回動可能に接続され、クリーニングヘッド１０８を本体に対して回動可能にする（矢印Ｐ参照）。理解されるように、コネクタは、クリーニングデバイスの本体に対して移動するときに、１つ又は複数の回転軸の周りを回動し得る。
【００４６】
いくつかの実施形態では、クリーニングヘッドがコネクタに接続されると、クリーニングヘッドの集塵チャンバ１１２の少なくとも一部がコネクタによって覆われる。いくつかの実施形態では、集塵チャンバ全体がコネクタで覆われる。コネクタは、支持構造の一部を覆い得る。いくつかの実施形態では、コネクタは吸引ノズルを覆わないが、他の実施形態では、コネクタは、吸引ノズルの少なくとも一部又はノズル全体を覆うように配置されてもよい。
【００４７】
いくつかの実施形態では、集塵チャンバの少なくとも一部は、フィルタ材料で形成されてもよい。理解されるように、そのようなフィルタ材料は、空気が吸引源に向かって流れるときにごみくず及び水分が集塵チャンバ内に留まるように、ごみくず及び水分をろ過し得る。図１５及び１６に示されるように、例えば、汚れた空気、ごみくず、及び／又は水分は、きれいな空気が吸引源に向かって流れるとき、集塵チャンバ１１２内に残り得る（矢印Ａ参照）。そのような例では、空気は、フィルタ材料で形成された集塵チャンバの一部１１３を通って流れる。いくつかの実施形態では、図２に示されるように、集塵チャンバは、上面１１３ａと、１つ又は複数の側面１１３ｂとを含み得る。いくつかの実施形態では、側面１１３ｂの少なくとも１つは、フィルタ材料で作られる。いくつかの実施形態では、集塵チャンバ全体がフィルタ材料で作られる。
【００４８】
いくつかの実施形態では、クリーニングデバイスは、集塵チャンバのフィルタを通って逃げる粒子を除去するための追加のフィルタを有してもよい。いくつかの実施形態では、フィルタはコネクタ１０６に配置されてもよい。
【００４９】
理解されるように、ごみくずを表面から集塵容器内に移動させるための吸引ノズルを有するものとしてクリーニングヘッドを示し、記載してきたが、いくつかの実施形態では、吸引ノズル又は吸引ノズルの少なくとも一部はコネクタ上に存在し得る。例えば、図７及び図８に示されるように、クリーニングヘッドは吸引ノズルの一部４１７ａのみを有し得、コネクタは吸引ノズルの別の部分４１７ｂを有し得る（図１８及び図１９参照）。いくつかの実施形態では、コネクタ４０６は、クリーニングヘッド上の吸引ノズルの少なくとも一部４１７ａを覆い得る。いくつかの実施形態では、クリーニングヘッド及びコネクタは、床から集塵チャンバへごみくずを取り除く。さらに別の実施形態では、クリーニングヘッドはノズルを含まなくてもよい。そのような実施形態では、コネクタが吸引ノズルを含み得る。
【００５０】
本開示の別の態様によれば、クリーニングヘッドは、クリーニングデバイスに取り外し可能に取り付け可能である。いくつかの実施形態では、コネクタは、操作中にクリーニングヘッドをクリーニングデバイスに保持するために対応する係合要素と係合する係合要素を含む。理解されるように、ハンドルは、クリーニングデバイス上の係合要素を選択的に係合及び係合解除するためのアクチュエータ１６１を含み得る。
【００５１】
いくつかの実施形態では、図１４に示されるように、係合要素は、係合位置（例えば、互いに近づく）とリリース位置（例えば、互いに離れる）との間で選択的に回動可能なジョー１５０ａ、１５０ｂを含む。いくつかの実施形態では、各ジョーは、リリース位置と係合位置との間で別々に移動可能であり得る。他の実施形態において、第１及び第２ジョーは、係合位置とリリース位置との間で同時に移動する。理解されるように、ユーザがアクチュエータをリリースすると、ジョーが係合要素１５１クリーニングヘッド１０８）上の対応する凹部１５２（図２参照）と係合するように、ジョーを係合位置に向かって付勢することができる。
【００５２】
いくつかの実施形態では、ジョーは、クリーニングヘッド上の係合要素を介して閉位置と係合位置との間で移動可能であり得る。例えば、係合要素１５１は、ジョーに接触し、ジョーが対応する凹部１５２の中に移動するまで（この地点でジョーは係合位置に向かって互いに近づき得る）ジョーを互いに遠ざけるテーパ状接触面１５３を有し得る。
【００５３】
他の実施形態では、図２０〜図２２に示されるように、クリーニングヘッドは、一対のジョー１５６が挿入可能な開口部１５４をし得る。次に、ユーザは、ジョーに取り付けられたアクチュエータ１５８をひねって、クリーニングヘッドをコネクタにロックし得る。そのような実施形態では、ジョーはバネ付勢されていてもよい。
【００５４】
いくつかの実施形態では、クリーニングヘッドは、クリーニングヘッドがコネクタに保持されるとクリーニングヘッドがその形状を維持し得及びノズルがその形状を維持することを可能にし得るように、剛性材料で作られる。例えば、クリーニングヘッドは、厚紙又は熱成形されたプラスチック材料で作ることができる。いくつかの実施形態では、支持構造は、支持構造の剛性を高めるための溝を含む。
【００５５】
いくつかの実施形態では、クリーニングデバイスは、塵をクリーニングされる床から集塵チャンバへ移動させるために真空を適用するように配置された真空源を含む。図４、図１１、図１５及び図１６に示すように、真空源は吸引効果を提供し、空気及びあらゆる遊離したごみくずを、吸引ノズル、気流導管を通して引き、そして集塵チャンバ内へ引き込む。そのような構成では、吸引ノズルは、気流導管及び集塵チャンバに流体的に接続される。いくつかの実施形態では、真空源は、ハンドル上に配置されたアクチュエータ１４９（図１を参照）を介して制御することができる。
【００５６】
いくつかの実施形態では、真空源は、クリーニングデバイスの本体の内側に配置されてもよい。例えば、真空源は、液体リザーバ１５９の近く又は中に配置されてもよい。いくつかの実施形態では、液体リザーバが取り外されたとき、真空源はハンドルに取り付けられたままであり得る。いくつかの実施形態では、真空源は液体リザーバと共に取り外すことができる。真空源はまた、配置することができ、コネクタ及び取り外し可能なクリーニングヘッドに近接して配置することができる。いくつかの実施形態では、真空源はモータを備え得る。真空源は二次フィルタを含み得る。
【００５７】
いくつかの実施形態では、真空源は、エアフィルタ材料で形成された集塵チャンバの壁にわたってなど、集塵チャンバの露出部分全体にわたって真空を適用する。そのような配置は、エアフィルタを横切る過度の圧力降下なしに十分な体積の空気流を提供することができる。いくつかの実施形態では、コネクタが集塵チャンバ材料に真空を適用できるように、集塵チャンバはクリーニングヘッドから上方に突出している。そのような実施形態では、この配置により、袋を袋の周辺に向かって充填し、次いで袋の中央に向かって充填することが可能になり得る。
【００５８】
いくつかの実施形態では、図２８に示されるように、コネクタの下側は、集塵チャンバを真空源から離すための１つ又は複数の支柱１６０を含む。いくつかの実施形態では、コネクタは３０〜４０個の支柱を有し得るが、任意の数の適切な支柱が使用されてよい。そのような分離は、集塵チャンバの露出部分の外側全体を横切って及びその周りに真空が適用されることを可能にし得る。
【００５９】
いくつかの実施形態では、クリーニングデバイスは、クリーニングされる表面に液体を適用するように配置された噴霧ノズル１５５を含み得る。いくつかの実施形態では、噴霧ノズルは、クリーニングデバイスの本体に配置されてもよい。噴霧ノズルはコネクタに配置されてもよい。理解されるように、噴霧ノズルは、クリーニングされる表面に液体を適用するための任意の適切な場所に配置されてもよい。
【００６０】
いくつかの実施形態では、デバイスは、液体を噴霧ノズルに供給するように配置された液体リザーバ１５９を含み得る。いくつかの実施形態では、リザーバは、永久的に本体に取り付けられるなど、クリーニングデバイスに永久的に取り付けられてもよい。リザーバはまた、クリーニングデバイスに取り外し可能に取り付け可能であり得る。いくつかの実施形態では、ユーザは、リザーバ上の充填ポートを介してなど、クリーニング液及び／又は水を液体リザーバに追加し得る。いくつかの実施形態では、液体リザーバは、数回のクリーニングイベント向けのある量の液体を含むようにサイズ設定されてもよい。そのような実施形態では、ユーザは、クリーニングデバイスを操作する前にクリーニングヘッドを取り付けるだけでよい。いくつかの実施形態では、液体リザーバが空のときにユーザがクリーニングデバイスに取り付け得る１つ又は複数の液体リザーバをユーザが購入し得るように、液体リザーバは事前に充填することができる。
【００６１】
いくつかの実施形態では、ハンドルは、クリーニングされる表面に液体を適用するためにユーザが噴霧ノズルを起動することを可能にするアクチュエータ１５７を含む。
【００６２】
いくつかの実施形態では、クリーニングデバイスはバッテリ動作式であってもよい。そのような実施形態では、バッテリは再充電可能であり得る。そのような実施形態では、ユーザは、使用と使用の間にバッテリを充電し得る。いくつかの実施形態では、バッテリは、１、２、３回又はそれ以上のクリーニングイベントのために電力を維持するように構成される。いくつかの実施形態では、バッテリは交換可能である。いくつかの実施形態では、クリーニングデバイスは、コンセントに差し込まれた電気コードによって電力を供給されてもよい。
【００６３】
別の実施形態によれば、図２３〜図２６に示されるように、クリーニングデバイスを使用する方法が開示される。図２３に示されるように、ユーザは、使い捨てクリーニングヘッドの箱から第１クリーニングヘッドを選択し得る。次に、ユーザは第１クリーニングヘッドをクリーニングデバイスに取り付ける（図２４）。そのような実施形態では、第１クリーニングヘッドを取り付けることは、クリーニングヘッドをクリーニングデバイスのコネクタに取り付けることを含む。いくつかの実施形態では、クリーニングヘッドは、クリーニングヘッドに永久的に取り付けられた集塵容器を含む。クリーニングヘッドはまた、クリーニングヘッドに取り付けられたクリーニングシート及び吸引ノズルを含み得る。この方法は、吸引ノズルを介して集塵チャンバに塵を移動させるようにクリーニングデバイスを操作することを含む。いくつかの実施形態では、ユーザは、クリーニングされる表面に液体を適用し得る（図２５参照）。この方法は、クリーニングヘッドをコネクタから取り外し、クリーニングヘッドをゴミ容器内に処分することも含む（図２６）。
【００６４】
クリーニングシートがクリーニングヘッドに取り付けられている実施形態では、湿ったごみくずと乾燥したごみくずを別々に又は同時にクリーニングすることができる。例えば、いくつかの実施形態では、ごみくずを表面から集塵容器に移動させることができるように真空源をオンにすることができる。真空源がオンになっている間に、すでに床の上にある乾燥したごみくずをクリーニングシートでピックアップすることもできる。いくつかの実施形態では、表面は湿ったこぼれを含む場合があり、湿ったこぼれは真空源がオンにされている間クリーニングシートによって吸収することができる。理解されるように、クリーニングデバイスは、いくつかの実施形態では真空クリーナとしてのみ使用されてもよい。いくつかの実施形態では、真空源がオンになっている間にユーザは、噴霧ノズルを操作して（例えば、アクチュエータを押すことにより）、クリーニングされる表面に液体を適用し得る。そのような実施形態では、クリーニングデバイスは、真空掃除機として及びモップとして同時に操作することができる。いくつかの実施形態において、ユーザは、真空掃除機がごみくずを表面から集塵チャンバに移動させるのと同時に湿ったごみくずがクリーニングシートに吸収されるように、クリーニングヘッドの経路の表面に液体を噴霧し得る。いくつかの実施形態では、液体はファンパターンで床に噴霧することができるが、液体は他の適切なパターンで床に噴霧することができる。
【００６５】
理解されるように、クリーニングデバイスは、もっぱらモップとして操作することもできる。そのような場合、ユーザは、クリーニングされる表面に液体を適用するために噴霧ノズルを単に操作し得る（例えば、アクチュエータを押すことにより）。そのような実施形態では、ユーザは、床をクリーニングするためにクリーニングデバイスを前後に動かし得る。クリーニングシートがクリーニングヘッドに取り外し可能に取り付けられる実施形態では、ユーザはクリーニングシートを取り外して廃棄し得る。クリーニングシートがクリーニングヘッドに永久的に取り付けられている実施形態では、ユーザは、クリーニングデバイスをモップとして使用した後、クリーニングヘッドを廃棄し得る。
【００６６】
いくつかの実施形態では、クリーニングヘッドを処分することは、集塵容器に含まれた及び／又はクリーニングシートに吸収された塵及びごみくずとともにクリーニングヘッドを廃棄することを含む。いくつかの実施形態では、クリーニングヘッドを処分することは、リリース機構を作動させることを含む。例えば、リリース機構は、第１及び第２ジョー部材を互いに遠ざけて、ジョーの間から留め具をリリースし、クリーニングヘッドがコネクタから脱落することを可能にし得る。理解されるように、そのような実施形態では、ユーザはリリース機構を作動させるだけなので、ユーザは湿った又は汚れたクリーニングヘッドを取り扱わなくてもよい。さらに理解されるように、クリーニングヘッドは表面に接触するクリーニングヘッドの唯一の部分であり、湿った及び／又は乾燥したごみくずはすべてクリーニングヘッド内に含まれるため、クリーニングデバイスの残りの部分（例えば、コネクタ及び本体）は、クリーニングデバイスの操作中及び操作後に清潔であり得る。
【００６７】
本明細書の目的のために、集塵チャンバ内にごみくずを収容することは、集塵チャンバ内に収集された塵を処分するためにユーザが集塵チャンバを開けることができないことを意味する。代わりに、上記のように、クリーニングヘッドは、同伴されたごみくずとともに、ごみ容器に廃棄される。理解されるように、ユーザは集塵チャンバを破り又は切り開いてごみくずをごみ容器に空けることが可能であり得るが、そのような行為は集塵チャンバを損傷し、ユーザがクリーニングヘッドを使い続けることを妨げる可能性がある。同様に、ユーザは塵捕集装置を破る又はこじ開けることもできる。前の例と同様に、この行為もクリーニングヘッドを損傷し、クリーニングヘッドがクリーニングデバイスで使用できなくなる可能性がある。
【００６８】
いくつかの実施形態では、図２７に示されるように、クリーニングヘッドは相互に積み重ね可能であり得る。いくつかの実施形態では、クリーニングヘッドは、スタックに入れ子にされてもよい。そのような実施形態では、第１クリーニングヘッドの吸引ノズルは、第２クリーニングヘッドの吸引ノズル内に入れ子にされてもよい。いくつかの実施形態では、集塵チャンバは、第１クリーニングヘッドが第２クリーニングヘッドの上に積み重ね可能であることを許容するように圧潰可能である。そのような実施形態では、第１クリーニングヘッドの第１集塵チャンバは、第２クリーニングヘッドの支持構造の下に圧潰されてもよい。第１収集チャンバは、第２クリーニングシートに取り付けられたクリーニングシートの下に圧潰されてもよい。
【００６９】
本教示を様々な実施形態及び例に関連して記載してきたが、本教示はそのような実施形態及び例に限定されることは意図されていない。それどころか、本教示は、当業者によって理解されるように、様々な代替、修正、及び均等物を包含する。したがって、前述の記載及び図面は単なる例である。
【００７０】
本発明の様々な態様は、単独で、組み合わせて、又は前述の実施形態で具体的に考察されていない様々な構成で使用することができ、したがって、その用途は前述の及び図面に示された構成要素の詳細及び構成に限定されない。例えば、一実施形態で記載された態様は、他の実施形態で記載された態様と任意の方法で組み合わせることができる。
【００７１】
また、本発明は方法として具体化されてもよく、その例を提供してきた。方法の一部として実行される行為は、任意の適切な方法で順序を決めることができる。したがって、実施形態は、例示の実施形態では連続的な行為として示されているが、いくつかの行為を同時に実行することを含み得る、行為が示されたものとは異なる順序で実行されるように構築することができる。
【００７２】
請求項の要素を修飾する特許請求の範囲における「第１」、「第２」、「第３」等などの順序用語の使用は、１つの請求項の要素の別の請求項の要素を上回る優先度、優先順位、及び順序、並びに方法の行為が実行される時間的順序をそれ自体含意せず、特定の名前を有する請求項の要素を、（順序用語の使用を別にして）同じ名前を有する別の要素から区別して、その請求項の要素を区別するための標識として単に使用される。
【００７３】
また、本明細書で使用される語法及び用語は、説明を目的とするものであり、限定と見なされるべきではない。本明細書における「含む」、「備える」、又は「有する」、「含有する」、「伴う」、及びその変形の使用は、その後に列挙したアイテム及びその均等物並びに追加アイテムを包含することを意味する。
【図１】
2020533028.tif 000003
【図２】
2020533028.tif 000004
【図３】
2020533028.tif 000005
【図４】
2020533028.tif 000006
【図５】
2020533028.tif 000007
【図６】
2020533028.tif 000008
【図７】
2020533028.tif 000009
【図８】
2020533028.tif 000010
【図９】
2020533028.tif 000011
【図１０】
2020533028.tif 000012
【図１１】
2020533028.tif 000013
【図１２】
2020533028.tif 000014
【図１３】
2020533028.tif 000015
【図１４】
2020533028.tif 000016
【図１５】
2020533028.tif 000017
【図１６】
2020533028.tif 000018
【図１７】
2020533028.tif 000019
【図１８】
2020533028.tif 000020
【図１９】
2020533028.tif 000021
【図２０】
2020533028.tif 000022
【図２１】
2020533028.tif 000023
【図２２】
2020533028.tif 000024
【図２３】
2020533028.tif 000025
【図２４】
2020533028.tif 000026
【図２５】
2020533028.tif 000027
【図２６】
2020533028.tif 000028
【図２７】
2020533028.tif 000029
【図２８】
2020533028.tif 000030
【国際調査報告】
2020533028.tif 000031
2020533028.tif 000032